(57)【要約】      （修正有）【課題】肩コリをより確実に除去又は緩和することができる指圧器具セットの配置構造を提供する。【解決手段】本指圧器具セットの配置構造Ｐ１の指圧器具セットは、人体の頭部及び／又は肩部を押圧するための特定構成の第１指圧器具１と、人体の背筋部を押圧するための特定構成の左右の第２指圧器具３２と、を備える。そして、第１指圧器具及び左右の第２指圧器具のそれぞれは、各弾性体３、４２の長尺方向の両端側が接地して床面上に配置されており、その配置状態の平面視において、左右の第２指圧器具のそれぞれの第２心棒４１の軸心は、第１指圧器具の第１心棒２の軸方向の中央を通り且つ第１心棒と直交する中心線ＣＬに対して、第１指圧器具側に向かうにつれて中心線から離れるように所定角度θ４で交差している。【選択図】図２４
0003198998.tif 000002
【実用新案登録請求の範囲】
【請求項１】
指圧器具セットの配置構造であって、
前記指圧器具セットは、人体の頭部及び／又は肩部を押圧するための第１指圧器具と、人体の背筋部を押圧するための左右の第２指圧器具と、を備え、
前記第１指圧器具は、第１心棒と、前記第１心棒に取り付けられる長尺状の一対の第１弾性体と、を備え、前記第１弾性体は、前記第１心棒の軸方向に交差して配され且つ前記第１心棒の外面に沿って曲げられて前記第１心棒に取り付けられるとともに、前記第１心棒の上面側に配される第１押圧部を備え、前記第１押圧部の裏面側には、前記第１押圧部の延設方向に対して傾斜し且つ前記第１心棒の外面に接する第１テーパ面が形成されており、
前記左右の第２指圧器具のそれぞれは、第２心棒と、前記第２心棒に取り付けられる長尺状の一対の第２弾性体と、を備え、前記第２弾性体は、前記第２心棒の軸方向に交差して配され且つ前記第２心棒の外面に沿って曲げられて前記第２心棒に取り付けられており、前記第２弾性体の上面は、横断面で上向きに凸となる凸曲面に形成されており、
前記第１指圧器具及び前記左右の第２指圧器具のそれぞれは、前記各弾性体の長尺方向の両端側が接地して床面上に配置されており、その配置状態の平面視において、前記左右の第２指圧器具のそれぞれの前記第２心棒の軸心は、前記第１指圧器具の前記第１心棒の軸方向の中央を通り且つ前記第１心棒と直交する中心線に対して、前記第１指圧器具側に向かうにつれて前記中心線から離れるように所定角度で交差していることを特徴とする指圧器具セットの配置構造。
【請求項２】
前記指圧器具セットは、人体の肩部を押圧するための左右の第３指圧器具を備え、
前記左右の第３指圧器具のそれぞれは、第３心棒と、前記第３心棒に取り付けられる長尺状の一対の第３弾性体と、を備え、前記第３弾性体は、前記第３心棒の軸方向に交差して配され且つ前記第３心棒の外面に沿って曲げられて前記第３心棒に取り付けられており、前記第３弾性体の上面は、横断面で上向きに凸となる凸曲面に形成されており、
前記左右の第３指圧器具のそれぞれは、前記第１指圧器具を挟むように、前記第３弾性体の長尺方向の両端側が接地して前記床面上に配置されており、その配置状態の平面視において、前記左右の第３指圧器具のそれぞれの前記第３心棒の軸心は、前記中心線に対して、前記第１指圧器具側に向かうにつれて前記中心線に近づくように所定角度で交差している請求項１記載の指圧器具セットの配置構造。
【請求項３】
前記指圧器具セットは、人体の腰部及び／又は臀部を押圧するための左右の第４指圧器具を備え、
前記左右の第４指圧器具のそれぞれは、第４心棒と、前記第４心棒に取り付けられる長尺状の一対の第４弾性体と、を備え、前記第４弾性体は、前記第４心棒の軸方向に交差して配され且つ前記第４心棒の外面に沿って曲げられて前記第４心棒に取り付けられており、前記第４弾性体の上面は、横断面で上向きに凸となる凸曲面に形成されており、
前記左右の第４指圧器具のそれぞれは、前記左右の第３指圧器具との間で前記左右の第２指圧器具を挟むように、前記第４弾性体の長尺方向の両端側が接地して前記床面上に配置されており、その配置状態の平面視において、前記左右の第４指圧器具のそれぞれの前記第４心棒の軸心は、前記中心線に対して、前記第１指圧器具側に向かうにつれて前記中心線に近づくように所定角度で交差している請求項２記載の指圧器具セットの配置構造。
【請求項４】
前記指圧器具セットは、人体の腰部及び／又は臀部を押圧するための第５指圧器具を備え、
前記第５指圧器具は、第５心棒と、前記第５心棒に取り付けられる長尺状の一対の第５弾性体と、を備え、前記第５弾性体は、前記第５心棒の軸方向に交差して配され且つ前記第５心棒の外面に沿って曲げられて前記第５心棒に取り付けられており、前記第５弾性体の上面は、横断面で上向きに凸となる凸曲面に形成されており、
前記第５指圧器具は、前記左右の第４指圧器具の間に挟まれるように、前記第５弾性体の長尺方向の両端側が接地して前記床面上に配置されており、その配置状態の平面視において、前記第５指圧器具の前記第５心棒の軸心は、前記第１指圧器具の前記第１心棒の軸心に対して平行とされている請求項３記載の指圧器具セットの配置構造。
【請求項５】
前記第１弾性体は、前記第１弾性体の長尺方向の一端側の近傍に配される第２押圧部を備え、該第２押圧部の縦断面における表面縁は略曲線状である請求項１乃至４のいずれか一項に記載の指圧器具セットの配置構造。
【請求項６】
前記第１弾性体は、前記第１押圧部と前記第２押圧部との間に配される第３押圧部を備え、該第３押圧部の縦断面における表面縁は略直線状である請求項５記載の指圧器具セットの配置構造。
【請求項７】
前記第１弾性体は、前記第１心棒の外面を直立状態で支持する支持部を備え、前記支持部の裏面側には、該支持部の延設方向に対して傾斜し且つ前記第１心棒の外面に接する第２テーパ面が形成されている請求項１乃至６のいずれか一項に記載の指圧器具セットの配置構造。
【請求項８】
前記第１弾性体は、前記第１押圧部と前記支持部との間で前記第１心棒の上面側に配される第４押圧部を備え、該第４押圧部の厚さは２〜５ｍｍである請求項７記載の指圧器具セットの配置構造。
【請求項９】
前記第１押圧部の裏面側には、該第１押圧部の延設方向に延びるリブが設けられ、該リブの下面により前記第１テーパ面が形成されている請求項１乃至８のいずれか一項に記載の指圧器具セットの配置構造。
【請求項１０】
前記第１テーパ面は、前記第１弾性体の下面側に形成された上面側に向かって凹む凹部に配されている請求項１乃至９のいずれか一項に記載の指圧器具セットの配置構造。
【請求項１１】
前記第１弾性体は、前記第１弾性体の長尺方向の一端側の近傍に配される第２押圧部を備え、該第２押圧部の縦断面における表面縁は略曲線状であり、
前記第１弾性体は、前記第１押圧部と前記第２押圧部との間に配される第３押圧部を備え、該第３押圧部の縦断面における表面縁は略直線状であり、
前記第１弾性体は、前記第１心棒の外面を直立状態で支持する支持部を備え、前記支持部の裏面側には、該支持部の延設方向に対して傾斜し且つ前記第１心棒の外面に接する第２テーパ面が形成されており、
前記第１弾性体は、前記第１押圧部と前記支持部との間で前記第１心棒の上面側に配される第４押圧部を備え、該第４押圧部の厚さは２〜５ｍｍであり、
前記第１押圧部の裏面側には、該第１押圧部の延設方向に延びるリブが設けられ、該リブの下面により前記第１テーパ面が形成されており、
前記第１テーパ面は、前記第１弾性体の下面側に形成された上面側に向かって凹む凹部に配されている請求項１乃至４のいずれか一項に記載の指圧器具セットの配置構造。
【考案の詳細な説明】
【技術分野】
【０００１】
本考案は、指圧器具セットの配置構造に関し、さらに詳しくは、肩コリをより確実に除去又は緩和することができる指圧器具セットの配置構造に関する。
【背景技術】
【０００２】
従来一般に、肩コリの療法として、指圧師による指圧療法が広く行われている。この指圧療法は、指圧師が患者の人体の局部に指を当て、体重をのせかけてこれを押圧する療法である。この指圧療法においては、肩甲骨と脊椎との間の肩甲間部や肩上面の肩甲骨の上に当たる部分の肩甲上部、更に首筋に沿っての指圧が効果的であるとされている。しかしながら、肩が凝ったときにいつも或いは直ぐに指圧師による指圧療法を受けることは通常難しい。
【０００３】
そこで、自分自身で指圧療法を行うことができる各種の指圧器具が提案されている（例えば、特許文献１参照）。特許文献１には、例えば、図２９に示すように、心棒１０２と、この心棒１０２の軸方向に交差して配され且つ心棒１０２の外面に沿って曲げられて心棒１０２に取り付けられる一対の長尺状の弾性体１０３と、を備える指圧器具１０１が開示されている。また、上記特許文献１には、図３０に示すように、頭部を柔らかく押圧するために弾性体１０３の裏面側に凹部１０７を形成することが開示されている。この特許文献１の指圧器具１０１によると、弾性体１０３の表面側に頭部や肩部をのせると、その重力により弾性体１０３が弾性変形すること及び弾性体１０３自身が柔らかいことで、筋肉が解されたり血行がよくされたりして指圧効果と同様の効果が得られる。
【０００４】
なお、図２７は、非特許文献１（Ｐ２３、Ｐ７２参照）において開示された指圧部位としての肩甲間部、後頸部（首筋の後部）、肩甲下部及び腰部等を効果的な圧点（いわゆる「つぼ」）とともに示している。更に圧点として肩甲上部も示している。図２７において、２００は肩甲骨を、２０２は肩甲骨と脊柱との間の肩甲間部を、２０２ａは肩甲間部における圧点を示している。また、２０４は後頸部を、２０４ａは後頸部における圧点を示している。さらに、２０６は圧点としての、肩上部の肩甲骨上部の位置の肩甲上部を示している。また、３０２は肩甲下部を、３０２ａは肩甲下部における圧点を示している。また、３０３は腰部を、３０３ａは腰部における圧点を示している。さらに、３０４は浪越圧点を示している。また、３０５は腸骨稜上部を、３０５ａは腸骨稜上部における圧点を示している。また、３０６は臀部を、３０６ａは臀部における圧点を示している。さらに、３０７は仙骨部を、３０７ａは仙骨部における圧点を示している。また、図２８（ａ）は、同非特許文献（Ｐ４８、Ｐ２２参照）に開示された指圧部位としての側頸部を、効果的な圧点とともに示している。２０８は側頸部を、２０８ａは側頸部における圧点を示している。尚、２１０は乳様突起を示している。さらに、図２８（ｂ）は、同非特許文献（Ｐ３８参照）に開示された指圧部位としての下腿外側部を、効果的な圧点とともに示している。３０９は下腿外側部を、３０９ａは下腿外側部における圧点を示している。
【先行技術文献】
【特許文献】
【０００５】
【特許文献１】国際公開第２０１２／０３６１３６号公報
【非特許文献】
【０００６】
【非特許文献１】「健康のいずみ指圧教室」、浪越徹、昭和５４年発行、Ｐ２２、Ｐ２３、Ｐ４８、Ｐ７２
【非特許文献２】「首の後を押すだけ！神経の流れをよくして万病を治す！！」、石倉笑、藤澤英一、２０１２年１月１６日発行、Ｐ１２−Ｐ１４、Ｐ２９
【非特許文献３】「ツボを正しく押せる本」、脇谷典利、２０１２年５月２２日発行、Ｐ５０、Ｐ８１、Ｐ９９
【考案の概要】
【考案が解決しようとする課題】
【０００７】
ここで、非特許文献２（Ｐ１２−Ｐ１４参照）には、頭部の乳様突起２１０の近傍の局部Ｐ（具体的には、乳様突起２１０の先端から１ｍｍ下方、１ｍｍ前方の部分Ｐ；図２８（ｃ）参照）を指圧することで、肩コリを効果的に除去ないし緩和することができることが開示されている。これは、乳様突起２１０の近傍の局部Ｐは、神経の流れの最上部に位置しており、この局部Ｐを指圧することで神経の流れが一気に活性化するためであると考えられている。なお、上記乳様突起２１０の近傍の局部Ｐを押圧することで、瞬時に精神が安定して、頭の中がスーッと楽になり、不快な肩コリが抜けるように感じる（そして、眠気が出てくる）。
【０００８】
しかしながら、上記特許文献１の指圧器具１０１では、弾性体１０３は、心棒１０２の上面側に配される押圧部１０３ａ（図２９及び図３０参照）が延設方向に沿って一様の厚さを有して形成されているので、通常接する部分から引っ込んだ所にある乳様突起の近傍の局部を的確にとらえることが困難であった。
【０００９】
また、上記特許文献１の指圧器具１０１では、弾性体１０３は、長尺方向の一端側の近傍に配される押圧部１０３ｂ（図２９及び図３０参照）を備え、この押圧部１０３ｂの縦断面における表面縁は略直線状である。そのため、人体の曲面部を直線状の押圧部で押圧することとなるため、例えば、肩甲間部の特定部位しか押圧できなかった。さらに、肩甲上部を効果的に押圧することは不可能であった。
【００１０】
ここで、肩コリの発生メカニズムとして以下のことが知られている。人体の腰部の疲れやコリを放置すると、次は背筋部のコリが生じる。その背筋部のコリを放置すると、次は肩部のコリが生じる。その肩部のコリを放置すると、最終的に首部のコリに発展する。要するに、コリは、腰部を起点として、人体の上部に上がってくる。したがって、人体の頭部及び肩部に加えて、それら以外の部分のコリを取ることで、肩コリをより確実に除去又は緩和できる。よって、これを可能とする指圧器具セットの出現が求められている。
【００１１】
本考案は、上記現状に鑑みてなされたものであり、肩コリをより確実に除去又は緩和することができる指圧器具セットの配置構造を提供することを目的とする。
【課題を解決するための手段】
【００１２】
上記問題を解決するために、請求項１に記載の考案は、指圧器具セットの配置構造であって、前記指圧器具セットは、人体の頭部及び／又は肩部を押圧するための第１指圧器具と、人体の背筋部を押圧するための左右の第２指圧器具と、を備え、前記第１指圧器具は、第１心棒と、前記第１心棒に取り付けられる長尺状の一対の第１弾性体と、を備え、前記第１弾性体は、前記第１心棒の軸方向に交差して配され且つ前記第１心棒の外面に沿って曲げられて前記第１心棒に取り付けられるとともに、前記第１心棒の上面側に配される第１押圧部を備え、前記第１押圧部の裏面側には、前記第１押圧部の延設方向に対して傾斜し且つ前記第１心棒の外面に接する第１テーパ面が形成されており、前記左右の第２指圧器具のそれぞれは、第２心棒と、前記第２心棒に取り付けられる長尺状の一対の第２弾性体と、を備え、前記第２弾性体は、前記第２心棒の軸方向に交差して配され且つ前記第２心棒の外面に沿って曲げられて前記第２心棒に取り付けられており、前記第２弾性体の上面は、横断面で上向きに凸となる凸曲面に形成されており、前記第１指圧器具及び前記左右の第２指圧器具のそれぞれは、前記各弾性体の長尺方向の両端側が接地して床面上に配置されており、その配置状態の平面視において、前記左右の第２指圧器具のそれぞれの前記第２心棒の軸心は、前記第１指圧器具の前記第１心棒の軸方向の中央を通り且つ前記第１心棒と直交する中心線に対して、前記第１指圧器具側に向かうにつれて前記中心線から離れるように所定角度で交差していることを要旨とする。
【００１３】
請求項２に記載の考案は、請求項１記載において、前記指圧器具セットは、人体の肩部を押圧するための左右の第３指圧器具を備え、前記左右の第３指圧器具のそれぞれは、第３心棒と、前記第３心棒に取り付けられる長尺状の一対の第３弾性体と、を備え、前記第３弾性体は、前記第３心棒の軸方向に交差して配され且つ前記第３心棒の外面に沿って曲げられて前記第３心棒に取り付けられており、前記第３弾性体の上面は、横断面で上向きに凸となる凸曲面に形成されており、前記左右の第３指圧器具のそれぞれは、前記第１指圧器具を挟むように、前記第３弾性体の長尺方向の両端側が接地して前記床面上に配置されており、その配置状態の平面視において、前記左右の第３指圧器具のそれぞれの前記第３心棒の軸心は、前記中心線に対して、前記第１指圧器具側に向かうにつれて前記中心線に近づくように所定角度で交差していることを要旨とする。
【００１４】
請求項３に記載の考案は、請求項２記載において、前記指圧器具セットは、人体の腰部及び／又は臀部を押圧するための左右の第４指圧器具を備え、前記左右の第４指圧器具のそれぞれは、第４心棒と、前記第４心棒に取り付けられる長尺状の一対の第４弾性体と、を備え、前記第４弾性体は、前記第４心棒の軸方向に交差して配され且つ前記第４心棒の外面に沿って曲げられて前記第４心棒に取り付けられており、前記第４弾性体の上面は、横断面で上向きに凸となる凸曲面に形成されており、前記左右の第４指圧器具のそれぞれは、前記左右の第３指圧器具との間で前記左右の第２指圧器具を挟むように、前記第４弾性体の長尺方向の両端側が接地して前記床面上に配置されており、その配置状態の平面視において、前記左右の第４指圧器具のそれぞれの前記第４心棒の軸心は、前記中心線に対して、前記第１指圧器具側に向かうにつれて前記中心線に近づくように所定角度で交差していることを要旨とする。
【００１５】
請求項４に記載の考案は、請求項３記載において、前記指圧器具セットは、人体の腰部及び／又は臀部を押圧するための第５指圧器具を備え、前記第５指圧器具は、第５心棒と、前記第５心棒に取り付けられる長尺状の一対の第５弾性体と、を備え、前記第５弾性体は、前記第５心棒の軸方向に交差して配され且つ前記第５心棒の外面に沿って曲げられて前記第５心棒に取り付けられており、前記第５弾性体の上面は、横断面で上向きに凸となる凸曲面に形成されており、前記第５指圧器具は、前記左右の第４指圧器具の間に挟まれるように、前記第５弾性体の長尺方向の両端側が接地して前記床面上に配置されており、その配置状態の平面視において、前記第５指圧器具の前記第５心棒の軸心は、前記第１指圧器具の前記第１心棒の軸心に対して平行とされていることを要旨とする。
【００１６】
請求項５に記載の考案は、請求項１乃至４のいずれか一項に記載において、前記第１弾性体は、前記第１弾性体の長尺方向の一端側の近傍に配される第２押圧部を備え、該第２押圧部の縦断面における表面縁は略曲線状であることを要旨とする。
【００１７】
請求項６に記載の考案は、請求項５記載において、前記第１弾性体は、前記第１押圧部と前記第２押圧部との間に配される第３押圧部を備え、該第３押圧部の縦断面における表面縁は略直線状であることを要旨とする。
【００１８】
請求項７に記載の考案は、請求項１乃至６のいずれか一項に記載において、前記第１弾性体は、前記第１心棒の外面を直立状態で支持する支持部を備え、前記支持部の裏面側には、該支持部の延設方向に対して傾斜し且つ前記第１心棒の外面に接する第２テーパ面が形成されていることを要旨とする。
【００１９】
請求項８に記載の考案は、請求項７記載において、前記第１弾性体は、前記第１押圧部と前記支持部との間で前記第１心棒の上面側に配される第４押圧部を備え、該第４押圧部の厚さは２〜５ｍｍであることを要旨とする。
【００２０】
請求項９に記載の考案は、請求項１乃至８のいずれか一項に記載において、前記第１押圧部の裏面側には、該第１押圧部の延設方向に延びるリブが設けられ、該リブの下面により前記第１テーパ面が形成されていることを要旨とする。
【００２１】
請求項１０に記載の考案は、請求項１乃至９のいずれか一項に記載において、前記第１テーパ面は、前記第１弾性体の下面側に形成された上面側に向かって凹む凹部に配されていることを要旨とする。
【００２２】
請求項１１に記載の考案は、請求項１乃至４のいずれか一項に記載において、前記第１弾性体は、前記第１弾性体の長尺方向の一端側の近傍に配される第２押圧部を備え、該第２押圧部の縦断面における表面縁は略曲線状であり、前記第１弾性体は、前記第１押圧部と前記第２押圧部との間に配される第３押圧部を備え、該第３押圧部の縦断面における表面縁は略直線状であり、前記第１弾性体は、前記第１心棒の外面を直立状態で支持する支持部を備え、前記支持部の裏面側には、該支持部の延設方向に対して傾斜し且つ前記第１心棒の外面に接する第２テーパ面が形成されており、前記第１弾性体は、前記第１押圧部と前記支持部との間で前記第１心棒の上面側に配される第４押圧部を備え、該第４押圧部の厚さは２〜５ｍｍであり、前記第１押圧部の裏面側には、該第１押圧部の延設方向に延びるリブが設けられ、該リブの下面により前記第１テーパ面が形成されており、前記第１テーパ面は、前記第１弾性体の下面側に形成された上面側に向かって凹む凹部に配されていることを要旨とする。
【考案の効果】
【００２３】
本考案の指圧器具セットの配置構造によると、指圧器具セットは、人体の頭部及び／又は肩部を押圧するための特定構成の第１指圧器具と、人体の背筋部を押圧するための特定構成の左右の第２指圧器具と、を備える。そして、第１指圧器具及び左右の第２指圧器具のそれぞれは、前記各弾性体の長尺方向の両端側が接地して床面上に配置されており、その配置状態の平面視において、左右の第２指圧器具のそれぞれの第２心棒の軸心は、第１指圧器具の第１心棒の軸方向の中央を通り且つ第１心棒と直交する中心線に対して、第１指圧器具側に向かうにつれて中心線から離れるように所定角度で交差している。これにより、第１指圧器具の第１弾性体の表面側に頭部や肩部をのせると、その重力により第１弾性体が弾性変形すること及び第１弾性体自身が柔らかいことで、筋肉が解されたり血行がよくされたりして指圧効果と同様の効果が得られる。また、第１押圧部の裏面側の第１テーパ面が第１心棒の外面に接することで、第１押圧部の表面側に凸状曲面部が形成される。そのため、第１指圧器具の第１弾性体の表面側に頭部や肩部をのせたときに、第１押圧部で乳様突起の近傍の局部を的確にとらえて適切な押圧力で押圧することができる。さらに、第２指圧器具の第２弾性体により人体の背筋部（例えば、肩甲下部の１点目の圧点；「胆兪（カンユ）のツボ」とも称される。）が効果的に押圧される。その結果、人体の頭部及び／又は肩部等に加えて、背筋部の疲れやコリが取られる。このように背筋部のコリを取ることで、内臓が活性化されて便意が出て便秘予防となるとともに、姿勢の悪化（すなわち、背中の曲り、猫背）が防止される。その結果、肩コリをより確実に除去又は緩和することができる。さらに、第１及び第２指圧器具の組み合わせを、安眠・熟睡用として長時間使用することができる。
【００２４】
また、前記指圧器具セットが、人体の肩部を押圧するための特定構成の左右の第３指圧器具を備え、前記左右の第３指圧器具のそれぞれが、前記第１指圧器具を挟むように、前記第３弾性体の長尺方向の両端側が接地して前記床面上に配置されており、その配置状態の平面視において、前記左右の第３指圧器具のそれぞれの前記第３心棒の軸心が、前記中心線に対して、前記第１指圧器具側に向かうにつれて前記中心線に近づくように所定角度で交差している場合は、第３指圧器具により人体の肩部（特に、肩甲骨部を含む肩部）が効果的に押圧される。さらに、第１〜第３指圧器具の組み合わせを、安眠・熟睡用として長時間使用することができる。
【００２５】
また、人体の腰部及び／又は臀部を押圧するための特定構成の左右の第４指圧器具を備え、前記左右の第４指圧器具のそれぞれが、前記左右の第３指圧器具との間で前記左右の第２指圧器具を挟むように、前記第４弾性体の長尺方向の両端側が接地して前記床面上に配置されており、その配置状態の平面視において、前記左右の第４指圧器具のそれぞれの前記第４心棒の軸心が、前記中心線に対して、前記第１指圧器具側に向かうにつれて前記中心線に近づくように所定角度で交差している場合は、第４指圧器具の一方の弾性体で腎兪、志室のツボを含む腰部や仙骨部が効果的に押圧されるとともに、他方の弾性体で浪越圧点を含む腰部や臀部が効果的に押圧される。よって、腰痛や姿勢の悪化（すなわち、腰の曲り）をより確実に防止できる。さらに、第１〜第４指圧器具の組み合わせを、安眠・熟睡用として長時間使用することができる。
【００２６】
さらに、前記指圧器具セットが、人体の腰部及び／又は臀部を押圧するための特定構成の第５指圧器具を備え、前記第５指圧器具が、前記左右の第４指圧器具の間に挟まれるように、前記第５弾性体の長尺方向の両端側が接地して前記床面上に配置されており、その配置状態の平面視において、前記第５指圧器具の前記第５心棒の軸心が、前記第１指圧器具の前記第１心棒の軸心に対して平行とされている場合は、第５指圧器具により人体の腰部や臀部が効果的に押圧される。さらに、第５指圧器具により腰部の人体の下方へのズレが防止される。よって、安定的に腰部及び／又は臀部の疲れやコリを取ることができ、腰痛や姿勢の悪化（すなわち、腰の曲り）をより確実に防止できる。さらに、第１〜第５指圧器具の組み合わせを、安眠・熟睡用として長時間使用することができる。
【００２７】
また、前記第１弾性体が、前記第１弾性体の長尺方向の一端側の近傍に配される第２押圧部を備え、該第２押圧部の縦断面における表面縁は略曲線状である場合は、第２押圧部の表面側に曲面状の肩部（例えば、肩甲間部、肩甲上部等）をのせたときに、肩部に対して第２押圧部が点で当ることで強く押圧できる。よって、肩甲上部から肩甲間部までの曲面部の全ての部分をまんべんなく押圧することができる。
【００２８】
また、前記第１弾性体が、前記第１押圧部と前記第２押圧部との間に配される第３押圧部を備え、該第３押圧部の縦断面における表面縁は略直線状である場合は、第３押圧部の表面側に肩部（例えば、肩甲間部等）をのせたときに、肩部に対して第３押圧部が線で当ることで柔らかく押圧できる。
【００２９】
また、前記第１弾性体が、前記第１心棒の外面を直立状態で支持する支持部を備え、前記支持部の裏面側に、該支持部の延設方向に対して傾斜し且つ前記第１心棒の外面に接する第２テーパ面が形成されている場合は、第１弾性体の表面側に頭部や肩部をのせたときに、支持部が弾性変形すること及び第１心棒が第２テーパ面をすべることで、第１押圧部で乳様突起の近傍の局部を更に的確にとらえて更に適切な押圧力で押圧できる。さらに、第２テーパ面により支持部の強度が高められる。
【００３０】
また、前記第１弾性体が、前記第１押圧部と前記支持部との間で前記第１心棒の上面側に配される第４押圧部を備え、該第４押圧部の厚さは２〜５ｍｍである場合は、第４押圧部の表面側に頭部をのせたときに、肉厚が薄い第４押圧部により頭部を柔らかく押圧できる。
【００３１】
さらに、前記第１押圧部の裏面側に、該第１押圧部の延設方向に延びるリブが設けられ、該リブの下面により前記第１テーパ面が形成されている場合は、第１押圧部で乳様突起の近傍の局部を更に的確にとらえて更に適切な押圧力で押圧できる。
【００３２】
さらに、前記第１テーパ面が、前記第１弾性体の下面側に形成された上面側に向かって凹む凹部に配されている場合は、第１テーパ面を容易に形成することができる。
【図面の簡単な説明】
【００３３】
本考案について、本考案による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係る第１指圧器具の斜視図である。
【図２】上記第１指圧器具の平面図である。
【図３】図２のＩＩＩ矢視拡大図である。
【図４】図２のＩＶ−ＩＶ線断面拡大図である。
【図５】実施例に係る第１弾性体（非弾性変形状態）の斜視図である。
【図６】上記第１弾性体の裏面側からみた平面図である。
【図７】図６のＶＩＩ−ＶＩＩ線断面図である。
【図８】図６のＶＩＩＩ−ＶＩＩＩ線断面拡大図である。
【図９】図６のＩＸ−ＩＸ線断面拡大図である。
【図１０】上記第１指圧器具の作用説明図であり、（ａ）は人体の背面からみた第１指圧器具の位置を示し、（ｂ）は人体の側面からみた第１指圧器具の位置を示す。
【図１１】上記第１指圧器具の作用説明図であり、（ａ）は人体の背面からみた第１指圧器具の位置を示し、（ｂ）は人体の側面からみた第１指圧器具の位置を示す。
【図１２】上記第１指圧器具の作用説明図であり、（ａ）は人体の背面からみた第１指圧器具の位置を示し、（ｂ）は人体の側面からみた第１指圧器具の位置を示す。
【図１３】上記第１指圧器具の作用説明図である。
【図１４】上記第１指圧器具の作用説明図である。
【図１５】変形例に係る第１弾性体（非弾性変形状態）の斜視図である。
【図１６】他の変形例に係る第１弾性体（非弾性変形状態）の斜視図である。
【図１７】変形例に係る第１指圧器具の斜視図である。
【図１８】上記第１指圧器具の平面図である。
【図１９】図３８のＰ矢視拡大図である。
【図２０】他の変形例に係る第１指圧器具の斜視図である。
【図２１】上記第１指圧器具の組付方法を説明するための説明図であり、（ａ）は第１心棒に第１紐を縛り付けた状態を示し、（ｂ）は第１心棒に第２紐を縛り付けた状態を示し、（ｃ）は第１弾性体の脚部間に第３紐を縛り付けた状態を示す。
【図２２】実施例に係る第２〜第５指圧器具を説明するための説明図である。
【図２３】実施例に係る第２〜第５弾性体（非弾性変形状態）を説明するための説明図である。
【図２４】実施例に係る指圧器具セットの配置構造を示す平面図である。
【図２５】上記指圧器具セットの配置構造を説明するための説明図であり、人体の背面からみた各指圧器具の位置関係を示す。
【図２６】変形例に係る指圧器具セットの配置構造を説明するための説明図であり、（ａ）は第１〜第４指圧器具を備える形態を示し、（ｂ）は第１〜第３指圧器具を備える形態を示し、（ｃ）は第１及び第２指圧器具を備える形態を示す。
【図２７】指圧の圧点として従来知られたものを示した説明図である。
【図２８】指圧の圧点として従来知られたものを示した説明図である。
【図２９】従来の指圧器具を示す斜視図である。
【図３０】他の従来の指圧器具を示す斜視図である。
【考案を実施するための形態】
【００３４】
ここで示される事項は例示的なものおよび本考案の実施形態を例示的に説明するためのものであり、本考案の原理と概念的な特徴とを最も有効に且つ難なく理解できる説明であると思われるものを提供する目的で述べたものである。この点で、本考案の根本的な理解のために必要である程度以上に本考案の構造的な詳細を示すことを意図してはおらず、図面と合わせた説明によって本考案の幾つかの形態が実際にどのように具現化されるかを当業者に明らかにするものである。
【００３５】
＜指圧器具セットの配置構造＞
本実施形態に係る指圧器具セットの配置構造（Ｐ１〜Ｐ４）は、指圧器具セットは、人体の頭部及び／又は肩部を押圧するための第１指圧器具（１、１Ａ、１Ｂ）と、人体の背筋部を押圧するための左右の第２指圧器具（３２）と、を備える（例えば、図２４及び図２５等参照）。そして、第１指圧器具（１、１Ａ、１Ｂ）は、第１心棒（２）と、第１心棒に取り付けられる長尺状の一対の第１弾性体（３、３’、３"、３Ａ、３Ｂ）と、を備え、第１弾性体は、第１心棒の軸方向に交差して配され且つ第１心棒の外面に沿って曲げられて第１心棒に取り付けられ、第１弾性体は、第１心棒の上面側に配される第１押圧部（１１）を備え、第１押圧部の裏面側には、第１押圧部の延設方向（Ｄ１）に対して傾斜し且つ第１心棒の外面に接する第１テーパ面（２１、２１’）が形成されている（例えば、図１及び図４等参照）。また、上記左右の第２指圧器具（３２）のそれぞれは、第２心棒（４１）と、第２心棒に取り付けられる長尺状の一対の第２弾性体（４２）と、を備え、第２弾性体は、第２心棒の軸方向に交差して配され且つ第２心棒の外面に沿って曲げられて第２心棒に取り付けられており、第２弾性体の上面は、横断面で上向きに凸となる凸曲面（好ましくは、円弧状の凸曲面）に形成されている（例えば、図２２及び図２３等参照）。さらに、上記第１指圧器具（１、１Ａ、１Ｂ）及び左右の第２指圧器具（３２）のそれぞれは、各弾性体（３、３’…、４２）の長尺方向の両端側が接地して床面上に配置されており、その配置状態の平面視において、左右の第２指圧器具（３２）のそれぞれの第２心棒（４１）の軸心は、第１指圧器具（１、１Ａ、１Ｂ）の第１心棒（２）の軸方向の中央を通り且つ第１心棒と直交する中心線（ＣＬ）に対して、第１指圧器具側に向かうにつれて中心線から離れるように所定角度（θ４）で交差している（例えば、図２４参照）。なお、上記中心線（ＣＬ）に対する第２指圧器具（３２）の第２心棒（４１）の軸心の傾斜角度（θ４）としては、例えば、１０〜６０°（好ましくは２０〜５０°）を挙げることができる。
【００３６】
なお、上記「第１押圧部の延設方向」とは、非弾性変形状態の第１押圧部の縦断面における表面縁が延びる方向を意図する。また、上記「横断面」とは、第２弾性体の長尺方向に略直交する方向に沿う断面を意図する。この点は、以下の説明でも同様に適用される。また、上記第１テーパ面（２１，２１’）の第１押圧部（１１）に対する傾斜角（θ１）は、乳様突起の近傍の局部に対する第１押圧部の押圧力等に応じて適宜選択できる（例えば、図７等参照）。この傾斜角（θ１）は、第１押圧部の押圧力といった観点から、３０〜６０度であることが好ましい。また、上記第１テーパ面（２１、２１’）は、例えば、弾性体（３、３’…）の下面側に形成された上面側に向かって凹む凹部（７）に配されていることができる（例えば、図５等参照）。
【００３７】
本実施形態に係る指圧器具セットの配置構造としては、例えば、上記指圧器具セットは、人体の肩部を押圧するための左右の第３指圧器具（３３）を備える形態（例えば、図２４及び図２５等参照）を挙げることができる。そして、上記左右の第３指圧器具（３３）のそれぞれは、第３心棒（５１）と、第３心棒に取り付けられる長尺状の一対の第３弾性体（５２）と、を備え、第３弾性体は、第３心棒の軸方向に交差して配され且つ第３心棒の外面に沿って曲げられて第３心棒に取り付けられており、第３弾性体の上面は、横断面で上向きに凸となる凸曲面（好ましくは、円弧状の凸曲面）に形成されている（例えば、図２２及び図２３等参照）。さらに、上記左右の第３指圧器具（３３）のそれぞれは、第１指圧器具（１、１Ａ、１Ｂ）を挟むように、第３弾性体（５２）の長尺方向の両端側が接地して床面上に配置されており、その配置状態の平面視において、左右の第３指圧器具（３３）のそれぞれの第３心棒（５１）の軸心は、中心線（ＣＬ）に対して、第１指圧器具側に向かうにつれて中心線に近づくように所定角度（θ５）で交差している（例えば、図２４等参照）。なお、上記中心線（ＣＬ）に対する第３指圧器具（３３）の第３心棒（５１）の軸心の傾斜角度（θ５）としては、例えば、２０〜８０°（好ましくは３０〜７０°）を挙げることができる。
【００３８】
本実施形態に係る指圧器具セットの配置構造としては、例えば、上記指圧器具セットは人体の腰部及び／又は臀部を押圧するための左右の第４指圧器具（３４）を備える形態（例えば、図２４及び図２５等参照）を挙げることができる。そして、上記左右の第４指圧器具（３４）のそれぞれは、第４心棒（６１）と、第４心棒に取り付けられる長尺状の一対の第４弾性体（６２）と、を備え、第４弾性体は、第４心棒の軸方向に交差して配され且つ第４心棒の外面に沿って曲げられて第４心棒に取り付けられており、第４弾性体の上面は、横断面で上向きに凸となる凸曲面（好ましくは、円弧状の凸曲面）に形成されている（例えば、図２２及び図２３等参照）。さらに、上記左右の第４指圧器具（３４）のそれぞれは、左右の第３指圧器具（３３）との間で左右の第２指圧器具（３２）を挟むように、第４弾性体（６２）の長尺方向の両端側が接地して床面上に配置されており、その配置状態の平面視において、左右の第４指圧器具（３４）のそれぞれの第４心棒（６１）の軸心は、中心線（ＣＬ）に対して、第１指圧器具側に向かうにつれて中心線に近づくように所定角度（θ６）で交差している（例えば、図２４等参照）。なお、上記中心線（ＣＬ）に対する第４指圧器具（３４）の第４心棒（６１）の軸心の傾斜角度（θ６）としては、例えば、１０〜６０°（好ましくは２０〜５０°）を挙げることができる。
【００３９】
本実施形態に係る指圧器具セットの配置構造としては、例えば、上記指圧器具セットは、人体の腰部及び／又は臀部を押圧するための第５指圧器具（３５）を備える形態を挙げることができる（例えば、図２４及び図２５参照）。そして、上記第５指圧器具（３５）は、第５心棒（７１）と、第５心棒に取り付けられる長尺状の一対の第５弾性体（７２）と、を備え、第５弾性体は、第５心棒の軸方向に交差して配され且つ第５心棒の外面に沿って曲げられて第５心棒に取り付けられており、第５弾性体の上面は、横断面で上向きに凸となる凸曲面（好ましくは、円弧状の凸曲面）に形成されている（例えば、図２２及び図２３等参照）。さらに、上記第５指圧器具（３５）は、左右の第４指圧器具（３４）の間に挟まれるように、第５弾性体（７２）の長尺方向の両端側が接地して床面上に配置されており、その配置状態の平面視において、第５指圧器具（３５）の第５心棒（７１）の軸心は、第１指圧器具（１、１Ａ、１Ｂ）の第１心棒（２）の軸心に対して平行とされている（例えば、図２４等参照）。
【００４０】
本実施形態に係る指圧器具セットの配置構造としては、例えば、上記第１弾性体（３、３’、３"、３Ａ、３Ｂ）は、第１弾性体の長尺方向の一端側の近傍に配される第２押圧部（１２）を備え、第２押圧部の縦断面における表面縁は略曲線状である形態（例えば、図４等参照）を挙げることができる。なお、上記「縦断面」とは、弾性体の長尺方向に沿う断面を意図する。この点は、以下の説明でも同様に適用される。
【００４１】
上記第２押圧部（１２）の表面縁の曲率半径（Ｒ）は、肩甲間部や肩甲上部に対する第２押圧部の押圧等に応じて適宜選択できる（例えば、図４等参照）。この曲率半径（Ｒ）は、第２押圧部の押圧力といった観点から、７０〜２００ｍｍであることが好ましい。
【００４２】
上述の形態の場合、例えば、上記第１弾性体（３、３’、３"、３Ａ、３Ｂ）は、第１押圧部（１１）と第２押圧部（１２）との間に配される第３押圧部（１３）を備え、第３押圧部の縦断面における表面縁は略直線状であることができる（例えば、図４等参照）。
【００４３】
上記第３押圧部（１３）の表面縁の水平に対する傾斜角（θ３）は、肩甲間部や肩甲上部に対する第３押圧部の押圧力等に応じて適宜選択できる（例えば、図４等参照）。この傾斜角（θ３）は、第３押圧部の押圧力といった観点から、１０〜３０度であることが好ましい。
【００４４】
本実施形態に係る指圧器具セットの配置構造としては、例えば、上記第１弾性体（３、３’、３"、３Ａ、３Ｂ）は、第１心棒（２）の外面を直立状態で支持する支持部（１５）を備え、支持部の裏面側には、支持部の延設方向（Ｄ２）に対して傾斜し且つ第１心棒の外面に接する第２テーパ面（２２）が形成されている形態（例えば、図４等参照）を挙げることができる。なお、上記「支持部の延設方向」とは、非弾性変形状態の支持部の縦断面における表面縁が延びる方向を意図する。
【００４５】
上記第２テーパ面（２２）の傾斜角（θ２）は、第１心棒（２）に対する支持部（１５）のすべり程度等に応じて適宜選択できる（例えば、図７等参照）。この傾斜角（θ２）は、第１心棒に対する支持部のすべり程度といった観点から、１５〜４５度であることが好ましい。また、上記第２テーパ面（２２）は、例えば、第１弾性体（３，３’，３"）の下面側に形成された上面側に向かって凹む凹部（７）に配されていることができる（例えば、図５等参照）。
【００４６】
上述の形態の場合、例えば、上記弾性体（３、３’、３"、３Ａ、３Ｂ）は、第１押圧部（１１）と支持部（１５）との間で第１心棒（２）の上面側に配される第４押圧部（１４）を備え、第４押圧部の厚さ（ｔ）は２〜５ｍｍである形態（例えば、図４等参照）を挙げることができる。
【００４７】
本実施形態に係る指圧器具セットの配置構造としては、例えば、上記第１押圧部（１１）の裏面側には、第１押圧部の延設方向（Ｄ１）に延びるリブ（１７）が設けられ、リブの下面により第１テーパ面（２１）が形成されている形態（例えば、図５等参照）を挙げることができる。
【００４８】
本実施形態に係る指圧器具セットの配置構造としては、例えば、上記第１弾性体（３、３’、３"、３Ａ、３Ｂ）の上面は、横断面で上向きに凸となる凸曲面（好ましくは、円弧状の凸曲面）に形成されている形態（例えば、図８及び図９等参照）を挙げることができる。これにより、少なくとも第１押圧部は、第１弾性体の縦断面及び横断面において上向きの凸曲面となり、第１押圧部により人体の局部が線でなく点で押圧され、指圧効果が高められる。なお、上記「横断面」とは、第１弾性体の長尺方向に略直交する方向に沿う断面を意図する。
【００４９】
なお、上記実施形態で記載した各構成の括弧内の符号は、後述する実施例に記載の具体的構成との対応関係を示すものである。
【実施例】
【００５０】
以下、図面を用いて実施例により本考案を具体的に説明する。なお、本実施例では、本発明に係る「指圧器具セット」として、以下に述べる第１〜第５指圧器具を備える指圧器具セットを例示する。
【００５１】
＜第１指圧器具＞
（１）第１指圧器具の構成
本実施例に係る第１指圧器具１は、人体の頭部及び／又は肩部を押圧するための指圧器具である（図２５参照）。この第１指圧器具１は、図１〜図３に示すように、丸棒状で木製の第１心棒２と、この第１心棒２に取り付けられる長尺状でゴム製の一対の第１弾性体３と、を備えている。この第１弾性体３は、第１心棒２の軸方向に交差（略直交）して配され且つ第１心棒２の外面に沿って曲げられて第１心棒２に取り付けられている。この第１心棒２は、その直径Ｄ（図３参照）が約６６ｍｍとされ、その軸方向長さが約３００ｍｍとされている。
【００５２】
上記第１弾性体３の表面側には、図１〜図３に示すように、円周方向に延びる溝部４が形成されている。これら溝部４に紐５を挿通させつつ第１心棒２及び第１弾性体３に巻き付けることで両者２、３が一体的に結合されている。これら一対の第１弾性体３の左右間隔Ｗ（図２参照）は、頭部の左右の耳の間隔に合わせた値（例えば、約１６０ｍｍ等）とされている。この左右間隔Ｗの値は、紐５による第１心棒２及び第１弾性体３の結合状態を変更することで容易に調整することができる。
【００５３】
上記第１弾性体３は、図５〜図９に示すように、その横断面が略半円形状とされ、その長尺方向にわたって一様な横幅を有している。この第１弾性体３の表面（上面）は、横断面で上向きに凸となる凸曲面に形成されている。また、第１弾性体３の裏面側には、表面側に向かって凹む凹部７が形成されている。
【００５４】
上記第１弾性体３は、図４に示すように、その長尺方向の両端側が床面等の設置面に接地可能な脚部８、９とされている。この脚部８の高さは約５ｍｍとされ、脚部９の高さＨ２は約４０ｍｍとされている。さらに、第１弾性体３は、第１押圧部１１、第２押圧部１２、第３押圧部１３、第４押圧部１４及び支持部１５を備えている。なお、上記凹部７は、第１弾性体３の第１押圧部１１、第４押圧部１４及び支持部１５にわたる部位に形成されている（図７参照）。
【００５５】
上記第１押圧部１１は、図４に示すように、第１心棒２の上面側に配されている。この第１押圧部１１は、主に人体の乳用突起２１０の近傍の局部Ｐ（図１７（ｃ）参照）を押圧するために用いられる。また、第１押圧部１１の裏面側には、図５〜図７に示すように、第１押圧部１１の延設方向Ｄ１に沿って延びるリブ１７（すなわち、凹部７の底面から立ち上がる板状部１７）が突設されている。このリブ１７の横面側には、湾曲状に延びる補強部１８が設けられている。そして、リブ１７の下面は、図７に示すように、第１押圧部１１の延設方向Ｄ１に対して所定の傾斜角θ１（例えば、約４５度等）で傾斜する第１テーパ面２１とされている。この第１テーパ面２１が第１心棒２の外周面に接することで、第１押圧部１１の表面側に凸状曲面部１１ａ（図１参照）が形成されている。
【００５６】
上記第２押圧部１２は、図４に示すように、第１弾性体３の長尺方向の一端側の近傍（すなわち、脚部９に隣接する位置）に配されている。この第２押圧部１２は、主に人体の肩甲間部２０２及び肩甲上部２０６（図１７（ａ）参照）を押圧するために用いられる。また、第２押圧部１２の縦断面における表面縁は略曲線状（すなわち、上向きに凸となる曲線状）とされている。さらに、第２押圧部１２の表面縁の曲率半径Ｒは約８５ｍｍとされている。
【００５７】
上記第３押圧部１３は、図４に示すように、第１押圧部１１と第２押圧部１２との間に配されている。この第３押圧部１３は、主に人体の肩甲間部２０２（図１７（ａ）参照）を押圧するために用いられる。また、第３押圧部１３の縦断面における表面縁は略直線状とされている。さらに、第３押圧部１３の表面縁の水平に対する傾斜角θ３は約２０度とされている。
【００５８】
上記第４押圧部１４は、図４に示すように、第１押圧部１１と支持部１５との間で第１心棒２の上面側に配されている。この第４押圧部１４は、主に人体の頭部を押圧するために用いられる。また、第４押圧部１４の厚さは約２ｍｍとされている。さらに、第４押圧部１４は、第１心棒２に巻き付けられることで他の第１〜第３押圧部１１〜１３に比べて幅広状とされている（図１参照）。
【００５９】
上記支持部１５は、図４に示すように、第４押圧部１４と脚部８との間に配されている。この支持部１５は、床面等の設置面上に指圧器具１を置いた状態（すなわち、弾性体３の脚部８、９を設置面上に接地した状態）で直立状態となる。また、支持部１５の裏面側には、図７に示すように、支持部１５の延設方向Ｄ２に対して所定の傾斜角θ２（例えば、約２０度等）で傾斜する第２テーパ面２２が形成されている。この第２テーパ面２２が第１心棒２の外周面に接することで、支持部１５により第１心棒２が支持されている。また、第２テーパ面２２は、支持部１５の幅方向の略全長にわたって延びている（図５参照）。
【００６０】
ここで、図４に示すように、首の長さによる第１及び第２押圧部１１、１２による当りＬ１を調整することができる。この当りＬ１調整は、主に、第３押圧部１３の長さｌ３、第２押圧部１２の長さｌ２、及び第２押圧部１２の曲率半径Ｒの値を変えることで実施される。また、人体の大きさによる全体の高さＨ１を調整することができる。この高さＨ１調整は、主に、第２押圧部１２の長さｌ２、第２押圧部の曲率半径Ｒ、支持部１５の長さｌ５、及び第１心棒２の直径Ｄの値を変えることで実施される。
【００６１】
（２）指圧器具の作用
次に、上記構成の第１指圧器具１の作用について説明する。先ず、第１指圧器具１を床面上において使用者が仰向けに寝て、図１０（ａ）（ｂ）に示すように、一対の第１弾性体３の第３押圧部１３に使用者の肩甲間部２０２をのせて、その状態で使用者が第３押圧部１３に体重の一部をかける。すると、第３押圧部１３により肩甲間部２０２が押圧される。
【００６２】
次いで、図１１（ａ）（ｂ）に示すように、一対の第１弾性体３の第２押圧部１２に使用者の肩甲間部２０２の上半分から肩甲上部２０６をのせて、その状態で使用者が第２押圧部１２に体重の一部をかける。すると、第２押圧部１２により肩甲間部２０２から肩甲上部２０６までが押圧される。
【００６３】
その後、図１２（ａ）（ｂ）に示すように、一対の第１弾性体３の第４押圧部１４に使用者の頭部をのせて、顔を上向きとして、その状態で使用者が第４押圧部１４に体重の一部をかける。すると、第４押圧部１４により頭部が押圧される。その状態より、図１３に示すように、顔を横向きとして、一方の第１弾性体３の第１押圧部１１に使用者の耳骨周辺をのせて、その状態で使用者が第１押圧部１１に体重の一部をかける。すると、第１押圧部１１の凸状曲面部１１ａにより乳用突起の近傍の局部Ｐが押圧される。
【００６４】
なお、上述のように第１弾性体３の表面側に頭部や肩部をのせると、図１４中に仮想線で示すように、その重力により、第１心棒２が支持部１５の第２テーパ面２２をすべりつつ第１弾性体３の全体が上下方向に弾性変形することとなる。
【００６５】
＜第１指圧器具の変形例＞
上記実施例では、その長尺方向にわたって一様な横幅を有する第１弾性体３を例示したが、これに限定されず、例えば、図１５に示すように、横幅ｗ１（例えば、５０〜８０ｍｍ）を有する幅広部２４と、この幅広部２４の一端側に連なり且つ幅広部３の横幅より小さな横幅ｗ２（例えば、４０〜６０ｍｍ）を有する幅狭部２５と、を備える第１弾性体３’を採用してもよい。この第１弾性体３’を用いた指圧器具１によると、幅広部２４に設けられた第１押圧部１１及び第４押圧部１４で頭部や乳様突起の近傍の局部Ｐを比較的柔らかく押圧できるとともに、幅狭部２５に設けられた第２押圧部１２及び第３押圧部１３で肩甲間部２０２や肩甲上部２０６を比較的強く押圧することができる。
【００６６】
また、上記実施例では、第１押圧部１１の裏面側にリブ１７を設け、このリブ１７の下面を第１テーパ面２１としてなる第１弾性体３を例示したが、これに限定されず、例えば、図１６に示すように、第１押圧部１１の裏面側に、第１押圧部１１の幅方向の略全長にわたって延びる第１テーパ面２１’を形成してなる第１弾性体３"を採用してもよい。
【００６７】
また、上記実施例では、その縦断面における表面縁が略曲線状である第２押圧部１２を例示したが、これに限定されず、例えば、その縦断面における表面縁が略直線状である第２押圧部としてもよい。
【００６８】
また、上記実施例では、その縦断面における表面縁が略直線状である第３押圧部１３を例示したが、これに限定されず、例えば、その縦断面における表面縁が略曲面状である第３押圧部としてもよい。
【００６９】
また、上記実施例では、非弾性変形状態においてその縦断面における表面縁が略直線状である第１押圧部１１、第４押圧部１４及び支持部１５を例示したが、これに限定されず、例えば、非弾性変形状態においてその縦断面における表面縁が略曲面状である第１押圧部、第４押圧部及び支持部としてもよい。
【００７０】
また、上記実施例では、指圧器具１を設置面に置いたときに直立状態となる支持部１５を例示したが、これに限定されず、例えば、指圧器具を設置面に置いたときに垂線に対して傾斜状態となる支持部としてもよい。
【００７１】
また、上記実施例では、平面状のテーパ面２１、２１’、２２を例示したが、これに限定されず、例えば、曲面状のテーパ面としてもよい。
【００７２】
また、上記実施例では、第１弾性体３、３’、３"に対する無負荷状態で第１心棒２の外周面に接するテーパ面２１、２１’、２２を例示したが、これに限定されず、例えば、第１弾性体３、３’、３"に対する無負荷状態で第１心棒２の外周面に対向するとともに、第１弾性体３、３’、３"に対して負荷をかけたとき（すなわち、第１弾性体に頭部や肩部をのせたとき）に第１心棒２の外周面に接するテーパ面としてもよい。
【００７３】
さらに、上記実施例における第１指圧器具１による押圧部位、順序等は特に問わない。この第１指圧器具１による押圧部位としては、人体の頭部、肩甲間部、肩甲上部、乳様突起の近傍の局部、後頸部、側頸部、腰部、臀部、脚部、腕部等を挙げることができる。
【００７４】
＜第１指圧器具の他の変形例＞
上記実施例では、第１弾性体３に形成された溝部４に紐５を挿通させつつ第１心棒２及び第１弾性体３に巻き付けることで両者２、３を一体的に結合してなる第１指圧器具１（図１〜図３参照）を例示したが、これに限定されず、例えば、図１７〜図１９に示すように、紐５Ａを心棒２及びに第１弾性体３Ａ（特に第１押圧部１１及び第４押圧部１４）に交差状に巻き付けるとともに、第１弾性体３Ａの脚部８、９に形成された環状の溝部８ａ、９ａに環状の紐５Ｂを巻き付けることで、第１心棒２及び第１弾性体３Ａを一体的に結合してなる第１指圧器具１Ａとしてもよい。これにより、紐５Ａにより第１心棒２及び第１弾性体３Ａが強固に一体的に結合されるとともに、紐５Ｂにより両脚部８、９が互いに離れて姿勢が崩れてしまうことが抑制される。さらに、溝部８ａにより支持部１５が弾性変形し易くなり、第１押圧部１１で乳様突起の近傍の局部Ｐを更に的確にとらえて更に適切な押圧力で押圧できる。なお、上記紐５Ｂは、交差する環状紐であってもよいし、交差しない環状紐であってもよい。さらに、図１７〜図１９に示す上記指圧器具１Ａにおいて、上記指圧器具１と略同じ構成部位には同じ符号を付けるものとする。
【００７５】
また、例えば、図２０及び図２１に示すように、上述の第１指圧器具１、１Ａの紐５、５Ａ、５Ｂの縛り付け形態を組み合わせるようにしてもよい。具体的に、先ず、第１紐５を第１心棒２及び第１弾性体３Ｂに縛り付け（図２１（ａ））、次に、第２紐５Ａを第１心棒２及びに第１弾性体３Ｂに交差状に巻き付け（図２１（ｂ））、次いで、第１弾性体３Ｂの脚部８、９に形成された環状の溝部８ａ、９ａに第３紐５Ｂを巻き付け（図２１（ｃ））、第１心棒２及び第１弾性体３Ｂを一体的に結合してなる第１指圧器具１Ｂを得ることができる。本第１指圧器具１Ｂによると、上述の第１指圧器具１、１Ａと略同様の作用・効果を奏するとともに、第１紐５により第１押圧部１１及び第４押圧部１４が第１心棒２の表面に隙間無く接して仮付けされるので、その後の第２及び第３紐５Ａ、５Ｂによる組み付け作業を容易に行うことができる。
【００７６】
＜第２〜第５指圧器具＞
（１）第２〜第５指圧器具の構成
本実施例に係る第２指圧器具３２は、図２５に示すように、人体の背筋部を押圧するための指圧器具である。また、第３指圧器具３３は、人体の肩部を押圧するための指圧器具である。また、第４指圧器具３４は、人体の腰部及び／又は臀部を押圧するための指圧器具である。さらに、第５指圧器具３５は、人体の腰部及び／又は臀部を押圧するための指圧器具である。
【００７７】
上記各指圧器具３２〜３５のそれぞれは、図２２に示すように、丸棒状で木製の第２〜第５心棒４１、５１、６１、７１と、第２〜第５心棒４１、５１、６１、７１に取り付けられる長尺状でゴム製の一対の第２〜第５弾性体４２、５２、６２、７２と、を備えている。また、弾性体４２…は、心棒４１…の軸方向に交差（略直交）して配され且つ心棒４１…の外面に沿って曲げられて心棒４１…に取り付けられている。
【００７８】
上記心棒４１、５１、６１、７１及び弾性体４２、５２、６２、７２に紐４３、５３、６３、７３を巻き付けることで両者が一体的に結合されている。これら一対の弾性体４２…の左右間隔は、紐４３…による心棒４１…及び弾性体４２…の結合状態を変更することで容易に調整することができる。
【００７９】
上記弾性体４２、５２、６２、７２は、図２３に示すように、非弾性変形状態（すなわち、心棒４１、５１、６１、７１への取付け前の状態）において所定長さＬで略直線状に延びている。弾性体４２…は、その横断面が略半円形状とされ、その長尺方向にわたって一様な最大横幅Ｗを有している。また、弾性体４２…の表面（上面）は、横断面で上向きに凸となる凸曲面に形成されている。また、弾性体４２…の心棒４１…の上側部である押圧部４４、５４、６４、７４は、図２２に示すように、縦断面で上向きに凸となる凸曲面に形成されている。さらに、弾性体４２…は、その長尺方向の両端側が床面上に接地可能な脚部４５、５５、６５、７５とされている。
【００８０】
なお、上記心棒４１、５１、６１、７１の直径や軸方向長さ、並びに上記弾性体４２、５２、６２、７２の長さＬや横幅Ｗは、人体の指圧部位等に応じて適宜選択される。
【００８１】
＜指圧器具セットの配置構造＞
（１）指圧器具セットの配置構造の構成
本実施例に係る指圧器具セットの配置構造Ｐ１は、図２４及び図２５に示すように、上述の第１〜第５指圧器具１、３２〜３５を備える指圧器具セットの配置構造である。これら第１〜第５指圧器具１、３２〜３５は、各弾性体の長尺方向の両端側が接地して床面上に配置されている。具体的に、左右の第３指圧器具３３のそれぞれは、第１指圧器具１の第１弾性体３を横方から挟むように床面上に配置されている。また、左右の第４指圧器具３４のそれぞれは、左右の第３指圧器具３３との間で左右の第２指圧器具３２を挟むように床面上に配置されている。さらに、第５指圧器具３５は、左右の第４指圧器具３４の間に第５弾性体７５が横方から挟まれるように床面上に配置されている。
【００８２】
上記第１〜第５指圧器具１、３２〜３５の配置状態の平面視において、左右の第２指圧器具３２のそれぞれの第２心棒４１の軸心は、第１指圧器具１の第１心棒２の軸方向の中央を通り且つ第１心棒２と直交する中心線ＣＬに対して、第１指圧器具１側に向かうにつれて中心線ＣＬから離れるように所定角度θ４（鋭角）で交差している。また、左右の第３指圧器具３３のそれぞれの第３心棒５１の軸心は、中心線ＣＬに対して、第１指圧器具１側に向かうにつれて中心線ＣＬに近づくように所定角度θ５（鋭角）で交差している。また、左右の第４指圧器具３４のそれぞれの第４心棒６１の軸心は、中心線ＣＬに対して、第１指圧器具１側に向かうにつれて中心線ＣＬに近づくように所定角度θ６（鋭角）で交差している。さらに、第５指圧器具３５の第５心棒７１の軸心は、第１指圧器具１の第１心棒２の軸心に対して平行とされている。なお、上記左右の第２〜第４指圧器具のそれぞれは、中心線により区画される左右の領域のそれぞれに配置される。
【００８３】
なお、上記第１〜第５指圧器具１、３２〜３５の相対的な配置位置は、使用者の体格等に応じて適宜調整して決められる。
【００８４】
（２）指圧器具セットの配置構造の作用
次に、上記構成の指圧器具セットの配置構造Ｐ１の作用について説明する。使用者（被指圧人）は、第１〜第５指圧器具１、３２〜３５上に仰向け状態で人体の各部を載せて体重をかける。すると、第１指圧器具１により頭部の圧点（例えば、後頸部２０４の圧点）や肩部の圧点（例えば、肩甲上部２０６）が押圧される。また、左右の第２指圧器具３２により背筋部の圧点（例えば、肩甲下部３０２の圧点（特に、肩甲下部３０２の１点目の圧点；「胆兪（カンユ）のツボ」とも称される。）が押圧される。また、左右の第３指圧器具３３により左右の肩部の圧点が押圧される。また、左右の第４指圧器具３４により腰部や臀部（特に、浪越圧点３０４を含む腰部や臀部）が押圧される。さらに、第５指圧器具３５により腰部や臀部が押圧される。
【００８５】
次に、使用者は、第１〜第５指圧器具１、３２〜３５上に横向き状態で体を載せて体重をかける。すると、第１〜第５指圧器具１、３２〜３５の各弾性体３、４２…により人体の所望の圧点がより強く押圧される。特に、第１指圧器具１の第１弾性体３により頭部の乳様突起２１０の近傍の局部Ｐ（図２８（ｃ）参照）が強く押圧される。そして、使用者は、仰向け状態と横向き状態とで心ゆくまでしっかり押圧できる。
【００８６】
なお、上記第１〜第５指圧器具１、３２〜３５を用いる指圧の時には、それぞれの指圧器具が第一の狙い目の圧点（ツボ）をしっかり押さえれば、全体の効果はしっかり出る。そして、使用者は、仰向け状態と横向き状態とで心ゆくまでしっかり押圧する。また、時間のある時には、その他のツボも押す。例えば、上記第５指圧器具３５上にうつ伏せで載り、ヘソから下の下腹部をゆっくり揺らすように押圧すれば、腸が直接刺激されて便意が出て便秘予防となる。
【００８７】
（３）実施例の効果
本実施例の指圧器具セットの配置構造Ｐ１によると、指圧器具セットは、人体の頭部及び／又は肩部を押圧するための特定構成の第１指圧器具１と、人体の背筋部を押圧するための特定構成の左右の第２指圧器具３２と、を備える。そして、第１指圧器具１及び左右の第２指圧器具３２のそれぞれは、各弾性体３、４２の長尺方向の両端側が接地して床面上に配置されており、その配置状態の平面視において、左右の第２指圧器具３２のそれぞれの第２心棒４１の軸心は、第１指圧器具１の第１心棒２の軸方向の中央を通り且つ第１心棒２と直交する中心線ＣＬに対して、第１指圧器具１側に向かうにつれて中心線ＣＬから離れるように所定角度θ４で交差している。これにより、第１指圧器具１の第１弾性体３の表面側に頭部や肩部をのせると、その重力により第１弾性体３が弾性変形すること及び第１弾性体３自身が柔らかいことで、筋肉が解されたり血行がよくされたりして指圧効果と同様の効果が得られる。また、第１押圧部１１の裏面側の第１テーパ面２１が第１心棒２の外面に接することで、第１押圧部１１の表面側に凸状曲面部が形成される。そのため、第１指圧器具１の第１弾性体３の表面側に頭部や肩部をのせたときに、第１押圧部１１で乳様突起の近傍の局部を的確にとらえて適切な押圧力で押圧することができる。さらに、第２指圧器具３２の第２弾性体４２により人体の背筋部（例えば、肩甲下部３０２の１点目の圧点；「胆兪（カンユ）のツボ」とも称される。；図２７参照）が効果的に押圧される。その結果、人体の頭部及び／又は肩部等に加えて、背筋部の疲れやコリが取られる。このように背筋部のコリを取ることで、内臓が活性化されて便意が出て便秘予防となるとともに、姿勢の悪化（すなわち、背中の曲り、猫背）が防止される。その結果、肩コリをより確実に除去又は緩和することができる。さらに、第１及び第２指圧器具１、３２の組み合わせを、安眠・熟睡用として長時間使用することができる。
【００８８】
特に、本実施例の第１指圧器具１によると、素人が自分自身の体のケアを熟練者並にしっかりと実施することができる。例えば、毎日好きな時間に、肩コリ取りができ、肩コリ知らずで過ごすことができる。よって、肩コリからくる病気を未然に防ぎ、医療費削減に貢献することができる。また、使用者は、頭部及び肩部を２点又は４点で同時に押圧されることで、頭部に一人、肩部に一人の、合計二人の指圧師により指圧されている感覚を受ける。また、一対の弾性体３のうちの一方の弾性体３に使用者の頭部をのせて体重の一部をかけることで、第１押圧部１１により乳用突起の近傍の局部Ｐが押圧されて強い指圧効果を得ることができる。また、弾性体３の横幅を大きくすることで、本第１指圧器具１を安眠・熟睡用枕として長時間使用することもできる。さらに、第１押圧部１１で乳用突起の近傍の局部Ｐをとらえて押圧することは、生命エネルギーの源のツボをとらえて押圧することとなるので、すばらしい健康増進効果が得られる。
【００８９】
なお、上記乳用突起の近傍の局部Ｐは、神経の万能、スーパースポットである。全身に通じ、全身の神経が活性化する。また、生命エネルギーの発生スイッチ、健康エネルギーの発生スイッチでもある。ここを毎日押圧することは、体をより健康に、精神をより安定させる。さらに、神経の流れをスムーズに整え、健康にする。
【００９０】
また、本実施例では、指圧器具セットは、人体の肩部を押圧するための特定構成の左右の第３指圧器具３３を備え、左右の第３指圧器具３３のそれぞれは、第１指圧器具１を挟むように、第３弾性体５２の長尺方向の両端側が接地して床面上に配置されており、その配置状態の平面視において、左右の第３指圧器具３３のそれぞれの第３心棒５１の軸心は、中心線ＣＬに対して、第１指圧器具１側に向かうにつれて中心線ＣＬに近づくように所定角度θ５で交差している。そのため、第３指圧器具３３により人体の肩部（特に、肩甲骨部を含む肩部）が効果的に押圧される。さらに、第１〜第３指圧器具１、３２、３３の組み合わせを、安眠・熟睡用として長時間使用することができる。
【００９１】
また、本実施例では、人体の腰部及び／又は臀部を押圧するための特定構成の左右の第４指圧器具３４を備え、左右の第４指圧器具３４のそれぞれは、左右の第３指圧器具３３との間で左右の第２指圧器具３２を挟むように、第４弾性体６２の長尺方向の両端側が接地して床面上に配置されており、その配置状態の平面視において、左右の第４指圧器具３４のそれぞれの第４心棒６１の軸心は、中心線ＣＬに対して、第１指圧器具１側に向かうにつれて中心線ＣＬに近づくように所定角度θ６で交差している。そのため、第４指圧器具３４の一方の弾性体６２で腎兪４０７、志室４０８のツボを含む腰部や仙骨部が効果的に押圧されるとともに、他方の弾性体６２で浪越圧点３０４を含む腰部や臀部が効果的に押圧される。よって、腰痛や姿勢の悪化（すなわち、腰の曲り）をより確実に防止できる。さらに、第１〜第４指圧器具１、３２〜３４の組み合わせを、安眠・熟睡用として長時間使用することができる。
【００９２】
さらに、本実施例では、指圧器具セットは、人体の腰部及び／又は臀部を押圧するための特定構成の第５指圧器具３５を備え、第５指圧器具３５は、左右の第４指圧器具３４の間に挟まれるように、第５弾性体７２の長尺方向の両端側が接地して床面上に配置されており、その配置状態の平面視において、第５指圧器具３５の第５心棒７１の軸心は、第１指圧器具１の第１心棒２の軸心に対して平行とされている。そのため、第５指圧器具３５により人体の腰部や臀部が効果的に押圧される。さらに、第５指圧器具３５により腰部の人体の下方へのズレが防止される。よって、安定的に腰部及び／又は臀部の疲れやコリを取ることができ、腰痛や姿勢の悪化（すなわち、腰の曲り）をより確実に防止できる。さらに、第１〜第５指圧器具１、３２〜３５の組み合わせを、安眠・熟睡用として長時間使用することができる。
【００９３】
また、本実施例では、第１弾性体３は、第１弾性体３の長尺方向の一端側の近傍に配される第２押圧部１２を備え、第２押圧部１２の縦断面における表面縁は略曲線状である。これにより、第２押圧部１２の表面側に曲面状の肩部（例えば、肩甲間部２０２、肩甲上部２０６等）をのせたときに、肩部に対して第２押圧部１２が点で当ることで強く押圧できる。よって、肩甲上部２０６から肩甲間部２０２までの曲面部の全ての部分をまんべんなく押圧することができる。
【００９４】
また、本実施例では、第１弾性体３は、第１押圧部１１と第２押圧部１２との間に配される第３押圧部１３を備え、第３押圧部１３の縦断面における表面縁は略直線状である。これにより、第３押圧部１３の表面側に肩部（例えば、肩甲間部２０２等）をのせたときに、肩部に対して第３押圧部１３が線で当ることで柔らかく押圧できる。
【００９５】
また、本実施例では、第１弾性体３は、第１心棒２の外面を直立状態で支持する支持部１５を備え、支持部１５の裏面側には、支持部１５の延設方向Ｄ２に対して傾斜し且つ第１心棒２の外面に接する第２テーパ面２２が形成されている。これにより、第１弾性体３の表面側に頭部や肩部をのせたときに、支持部１５が弾性変形すること及び第１心棒２が第２テーパ面２２をすべることで、第１押圧部１１で乳様突起の近傍の局部Ｐを更に的確にとらえて更に適切な押圧力で押圧できる。さらに、第２テーパ面２２により支持部１５の強度が高められる。
【００９６】
また、本実施例では、第１弾性体３は、第１押圧部１１と支持部１５との間で第１心棒２の上面側に配される第４押圧部１４を備え、第４押圧部１４の厚さは２〜５ｍｍである。これにより、第４押圧部１４の表面側に頭部をのせたときに、肉厚が薄い第４押圧部１４により頭部を柔らかく押圧できる。
【００９７】
さらに、本実施例では、第１押圧部１１の裏面側には、第１押圧部１１の延設方向Ｄ１に延びるリブ１７が設けられ、リブ１７の下面により第１テーパ面２１が形成されている。これにより、第１押圧部１１で乳様突起の近傍の局部Ｐを更に的確にとらえて更に適切な押圧力で押圧できる。
【００９８】
さらに、本実施例では、第１テーパ面２１は、第１弾性体３の下面側に形成された上面側に向かって凹む凹部７に配されている。これにより、第１テーパ面２１を容易に形成することができる。さらに、本実施例では、第２テーパ面２２は、第１弾性体３の下面側に形成された上面側に向かって凹む凹部７に配されている。これにより、第２テーパ面２２を容易に形成することができる。
【００９９】
ここで、指圧師による指圧では、指圧師は、一方のヒザの支点を軸として、指表面を通して、自分の体重をかけて、被指圧体に対して圧力の強弱を与える。この指圧師による指圧面積は、親指の先端部分であり、比較的小さい。これに対して、本実施例の指圧器具セットの配置構造Ｐ１では、各指圧器具１、３２〜３５に対して、被指圧体の上半身の体重による圧力が分散してかかる。これら各指圧器具１、３２〜３５の指圧面積は、弾性体の凸面であり、指圧師の親指による指圧面積に比べて大きい。そして、人間が指圧器具の上にのる形となるので、強い押圧力が得られ、しかも長時間一定した押圧力が得られる。これに比べ指圧師による指圧は、小さな押圧力で、しかも指圧師が疲れてくるので長時間安定した押圧力の維持は無理である。
【０１００】
そして、本実施例の指圧器具セットの配置構造Ｐ１では、大きな押圧力を得られるため、指圧師と同等の押圧力を得る場合、親指よりも大きな凸面積（すなわち、指圧面積）で押圧できることになる。指圧面積が大きいので、ツボの位置をあまり知らない素人が、アバウトで押圧しても、ツボが指圧面積内に入り易い。その結果、プロの指圧師と同じツボを簡単に押圧できる。すなわち、「素人でも、プロ並みの指圧効果が出せる」指圧器具となった。また、本実施例の指圧器具セットの配置構造Ｐ１では、長時間一定した押圧ができることから、指圧圧力を小さくすることにより、睡眠用の安眠熟睡枕や安眠熟睡ベッドの開発にも応用できる。なお、指圧師は、一日４〜５人を指圧すると、体が疲れてしまうが、本実施例の指圧器具セットの配置構造Ｐ１を指圧師自身の体のケアとして使用できる。
【０１０１】
さらに、本実施例の指圧器具セットの配置構造Ｐ１によると、上半身の主要部を押圧出来るので、「腰痛、腰曲がり、猫背、便秘、脚の疲れ、内臓疲労等、体全体のコリ取りと疲労取り」に効果が、如実に出てくる。また、頭部、肩部、背筋部、腰部、臀部の、合計５人の指圧師が同時に指圧してくれているのと同じ指圧効果が出る。
【０１０２】
なお、マッサージは世界中で、古代からある。これは人類が、全身の筋肉のコリと疲れをなくしたいからである。本実施例の指圧器具セットＰ１の配置構造を使用すれば、他人から指圧（マッサージを含む。）を受けなくても、同等もしくはそれ以上の効果を、自分自信で、好きな時間と場所で、自分自身の体のケアができる。
【０１０３】
さらに、本実施例の指圧器具セットの配置構造Ｐ１を用いて他人に指圧をサービスする場合、多数の被指圧人を一人で管理できる。また、指圧人は指圧のツボを少し習うことにより、指圧サービスが可能になる。これにより、大幅に、指圧料金が下がる。指圧料金が下がると、指圧をする人が大幅に増える。途上国であっても指圧を受ける機会が増える。そうすると、途上国で指圧の仕事が増え、雇用増加につながり、国民の生活がより良くなり、その国のＧＤＰも上がる。
【０１０４】
ここで、「指圧」とは、指で（を通して）圧を加えることである（上記非特許文献１のＰ１５等参照）。また、自己指圧の場合、自己指圧のおしかたのコツは、指先に力を入れずに、体全体のバランスをとり、徐々に圧を入れ、徐々に圧を抜くことである。また、指圧のおしかたは、必ず、皮膚面に垂直におす。さらに、指圧師のおしかたは、指先に力を入れずに、指先を通して、指圧師の体重を応用して、圧を入れる。その圧が、皮膚から筋肉に、気持ちよくじんわりと浸透すると、効果がある。いわゆる、指圧の圧は、体重という「自然力」を応用して、圧を加えることである。
【０１０５】
そして、本実施例の指圧器具セットの配置構造Ｐ１では、指圧師の「手の皮膚の柔らかさ」を表現するために、体との接点に、弾性体３、４２…を使っている。また、加える圧の強弱により、弾性体３、４２…の構造を変えることができる。
【０１０６】
また、指圧師の体重圧をじんわりと手の皮膚に伝えるためには、指圧師の「指、手首、肘、肩の関節の柔軟性」が指圧の必須条件で、ここに「指圧の真髄」がある。よって、本実施例の第１〜第５指圧器具１、３２〜３５では、「関節の柔軟性」を表現するために、接地するための「脚部８、９、４５…」を設け、なおかつ体との接点「押圧部１１〜１４、４４…」から接地面の脚部８、９、４５…までが、一つの弾性体３、４２…になっている。体重圧を加えることにより、弾性体３、４２…の脚部８、９、４５…の構造物全体が変形して、関節の役目を果たす。
【０１０７】
また、本実施例の指圧器具セットの配置構造Ｐ１では、指圧師の体重の代わりに、自分自信の「体重を利用して」指圧器具１、３２〜３５の上に乗っかけて押圧する。自身の体重を利用できることが、真の自然力の活用になり、真の自然力の活用こそが、指圧の真髄である。なお、良い指圧師とは、自分の体重を１００％活用して、「体重力」により圧力の大小の変化を与えて指圧できることである。
【０１０８】
ここで、指圧師の指圧は、被指圧人は薄着１枚になって、寝ている。これは、被指圧人が一切の体の力を抜いて、脱力状態で寝ているために、１００％安定した状態と言える。指圧師は自分の体重圧を１００％活用できる状態になる。これに対して、立ったり、座ったりしている状態は、自分がその姿勢を維持するために力を使っている。こういうのは真の指圧ではなく、按摩、マッサージと呼ばれる。本実施例の指圧器具セットの配置構造Ｐ１によると、使用者は完全に脱力して指圧器具１、３２〜３５の上に乗っかかる。本当の指圧である。また、本実施例の指圧器具セットの配置構造Ｐ１は、「素人が自分の体のツボを探せる道具」でもある。また、第１〜第５指圧器具１、３２〜３５は、体と接する押圧部分が全てＲ曲面になっている。さらに、第１〜第５指圧器具１、３２〜３５は、ＸＹＺ軸方向全てに容易に動き調整できる。体の押圧する部位や、押圧力の強弱を調整できる。
【０１０９】
また、指圧のおしかたは、必ず、皮膚面に垂直におす。指圧であるから皮膚の接点は一点である。ツボは点であり、線で押圧しても、ツボが押圧出来ず、指圧効果は出ない。線で押すのはたんなるマッサージしか出来ない。これに対して、本実施例の第１〜第５指圧器具１、３２〜３５は、体との接点部分が、必ずＲ曲面の一点で接しており、力方向は接線に垂直となる。つまり、皮膚に垂直に押している。
【０１１０】
また、本実施例の第１〜第５指圧器具１、３２〜３５は、一対の弾性体３、４２…で出来ており、４本の脚８、９、４５…で接地の安定性を保っているために、指圧器具１、３２〜３５は動かず安定して、上述のような使用者自身の体重を利用した押圧の実行を可能にしている。要するに、１００％の体重力の自然力を活用することができる。仮に、体重力の受け手である器具が動いては、体重力を１００％活用出来ない。これは指圧ではない。
【０１１１】
また、本実施例の第１指圧器具１では、肩コリの大元である、「乳様突起２１０」周辺の頭部２点と「肩甲上部２０６」周辺の肩部２点の４点を押圧できる事に特化しており、それにより肩こりを画期的に軽減することを目的としたものである。
【０１１２】
さらに、本実施例の指圧器具セットの配置構造Ｐ１によると、肉体の健康ばかりでなく、「精神の健康も促進される」：意識をリラックスさせる効果がある。指圧器具１、３２〜３５の上に体を乗っけて、完全に、１００％脱力した状態になる。「脱力すると、意識がリラックスする」。のんびり露天温泉に浸かっている時や、満天の星空に引き込まれる時などのように、意識がリラックスする。日常、意識が緊張の中で生きている人ほど、意識をリラックスさせる時が必要不可欠である。意識の緊張時とリラックス時が２ツあって、始めて精神の健康が保たれる。一日の体の疲れを取り、意識をリラックスできる、本実施例の第１〜第５指圧器具１、３２〜３５（セルフケア万能指圧器具）は、人間の「肉体と精神」の健康な生活にとって、必要品である。
【０１１３】
尚、本考案においては、上記実施例に限られず、目的、用途に応じて本考案の範囲内で種々変更した実施例とすることができる。すなわち、上記実施例では、第１〜第５指圧器具１、３２〜３５を備える指圧器具セットの配置構造Ｐ１を例示したが、これに限定されず、例えば、第１〜第４指圧基部１、３２〜３４を備える指圧器具セットの配置構造Ｐ２（図２５（ａ）参照）としたり、第１〜第３指圧基部１、３２、３３を備える指圧器具セットの配置構造Ｐ３（図２５（ｂ）参照）としたり、第１及び第２指圧基部１、３２を備える指圧器具セットの配置構造Ｐ４（図２５（ｃ）参照）としたりしてもよい。これにより、より安価な指圧器具セットを提供できる。
【０１１４】
また、上記実施例における各心棒２、４１…の材質、形状等は、弾性体３、４２…の押圧力の強弱に応じて適宜選択できる。この心棒２、４１…の材質としては、例えば、木、樹脂、ゴム、エラストマ、発泡体、金属等を挙げることができる。また、心棒２、４１…の形状としては、例えば、縦断面円形、縦断面楕円径、縦断面多角形、縦断面異形等を挙げることができる。この心棒２、４１…は、横断面で少なくとも上面部が上向きに凸となる凸曲面に形成されていればよい。
【０１１５】
また、上記実施例における弾性体３、４２…の材質、形状等は、弾性体３、４２…の押圧力の強弱に応じて適宜選択できる。この弾性体３、４２…の材質としては、例えば、ゴム、エラストマ、発泡体等を挙げることができる。また、弾性体３、４２…の形状としては、例えば、湾曲部及び／又は屈曲部を有する長尺状、略直線状に延びる長尺状等を挙げることができる。さらに、弾性体３、４２…の硬度（例えば、ゴム硬度）としては、例えば、５０〜７５°（好ましくは５５〜７０°）であることができる。この硬度は、新ＪＩＳ規格Ｋ６２３５に準じて測定し、硬度計には、タイプＡデュロメータを用いる。
【０１１６】
さらに、上記実施例では、中実状の弾性体４２…を備える第２〜第５指圧器具３２〜３５を例示したが、これに限定されず、例えば、その裏面側に長尺方向に沿って凹部が形成された中空状の弾性体を備える第２〜第５指圧器具としてもよい。さらに、上記実施例では、横断面半円形状の弾性体４２…を備える第２〜第５指圧器具３２〜３５を例示したが、これに限定されず、例えば、上面側が上向きに凸となる凸曲面に形成された横断面矩形状の弾性体を備える第２〜第５指圧器具としてもよい。
【０１１７】
前述の例は単に説明を目的とするものでしかなく、本考案を限定するものと解釈されるものではない。本考案を典型的な実施形態の例を挙げて説明したが、本考案の記述および図示において使用された文言は、限定的な文言ではなく説明的および例示的なものであると理解される。ここで詳述したように、その形態において本考案の範囲または精神から逸脱することなく、添付の実用新案登録請求の範囲内で変更が可能である。ここでは、本考案の詳述に特定の構造、材料および実施例を参照したが、本考案をここにおける開示事項に限定することを意図するものではなく、むしろ、本考案は添付の実用新案登録請求の範囲内における、機能的に同等の構造、方法、使用の全てに及ぶものとする。
【０１１８】
本考案は上記で詳述した実施形態に限定されず、本考案の請求項に示した範囲で様々な変形または変更が可能である。
【産業上の利用可能性】
【０１１９】
人体の局部を押圧する指圧器具として広く利用される。
【符号の説明】
【０１２０】
１，１Ａ，１Ｂ；第１指圧器具、２；第１心棒、３，３’，３"，３Ａ，３Ｂ；第１弾性体、１１；第１押圧部、１２；第２押圧部、１３；第３押圧部、１４；第４押圧部、１５；支持部、１７；リブ、２１，２１’；第１テーパ面、２２；第２テーパ面、Ｄ１；第１押圧部の延設方向、Ｄ２；支持部の延設方向、Ｐ；乳様突起の近傍の局部、３２；第２指圧器具、４１；第２心棒、４２；第２弾性体、３３；第３指圧器具、５１；第３心棒、５２；第３弾性体、３４；第４指圧器具、６１；第４心棒、６２；第４弾性体、３５；第５指圧器具、７１；第５心棒、７２；第５弾性体、Ｐ１〜Ｐ４；指圧器具セットの配置構造。
【図１】
0003198998.tif 000003
【図２】
0003198998.tif 000004
【図３】
0003198998.tif 000005
【図４】
0003198998.tif 000006
【図５】
0003198998.tif 000007
【図６】
0003198998.tif 000008
【図７】
0003198998.tif 000009
【図８】
0003198998.tif 000010
【図９】
0003198998.tif 000011
【図１０】
0003198998.tif 000012
【図１１】
0003198998.tif 000013
【図１２】
0003198998.tif 000014
【図１３】
0003198998.tif 000015
【図１４】
0003198998.tif 000016
【図１５】
0003198998.tif 000017
【図１６】
0003198998.tif 000018
【図１７】
0003198998.tif 000019
【図１８】
0003198998.tif 000020
【図１９】
0003198998.tif 000021
【図２０】
0003198998.tif 000022
【図２１】
0003198998.tif 000023
【図２２】
0003198998.tif 000024
【図２３】
0003198998.tif 000025
【図２４】
0003198998.tif 000026
【図２５】
0003198998.tif 000027
【図２６】
0003198998.tif 000028
【図２７】
0003198998.tif 000029
【図２８】
0003198998.tif 000030
【図２９】
0003198998.tif 000031
【図３０】
0003198998.tif 000032